(57)【要約】【課題】  インターネットを利用し販売する形態と、店舗にて販売する形態の両方の利点を兼ね揃え、製造元が必要となる情報を一覧でき、販売におけるカタログとしての役割を果たし、販売店に対する説明書きも備えていることにより、一枚のカタログ用紙に販売業務一連で必要となる情報欄を含有することを特徴とするオーダーメイドパソコンの注文用カタログを提供すること。【解決手段】  オーダーメイドパソコンの注文シートと、当該オーダーメイドパソコンに組み込み可能な部品であって注文にあたり購入者が選択可能な部品を列挙した部品リストと、当該部品を販売する店舗が前記注文シートを利用する際の説明書きと、前記部品リストから選択された商品を前記購入者が購入したときに発行されるレシートの貼り付け欄とを用紙に印刷してなるオーダーメイドパソコン注文用カタログ用紙。【選択図】  図１
2005088361.tif 000002
【特許請求の範囲】
【請求項１】
オーダーメイドパソコンの注文シートと、当該オーダーメイドパソコンに組み込み可能な部品であって注文にあたり購入者が選択可能な部品を列挙した部品リストと、当該部品を販売する店舗が前記注文シートを利用する際の説明書きと、前記部品リストから選択された商品を前記購入者が購入したときに発行されるレシートの貼り付け欄とを用紙に印刷してなるオーダーメイドパソコン注文用カタログ用紙。
【発明の詳細な説明】
【技術分野】
【０００１】
本発明は、オーダーメイドパソコンの注文用カタログ用紙に関する。
【背景技術】
【０００２】
パソコンの販売形態として、当該パソコンの部品の選択肢を設けてその中から好きな部品を選択させた上で、完成品を購入者に提供する販売形態が存在している。当該販売形態ではインターネットを利用し販売している事業者が大部分である。インターネットを利用して販売すると、店舗を持たず直送するため在庫を抱える必要がない。そのため店舗における倉庫費用がかからない。また、直送するため従来の製造元から店舗に配送するための配送費用もかからない。これらの理由で、店舗にて販売する場合と比較して安価で商品を提供することができることがその特徴である。
【０００３】
しかしながら、インターネットを利用し販売する形態においては、商品購入者は実際の商品を見ることができなかった。店頭販売においては、製造元から店舗への配送費用や、在庫費用といったコストがかかった。
【０００４】
そこで、店頭にて商品を確認し、そこからの注文販売をすることにより、インターネットを利用し販売する形態における配送費用と在庫費用のコストを削減したまま、実際の商品を見ながら購入できるという両方の形態の利点を持つことができた。そうすると、オーダーメイドパソコンは複数の構成部品からなりそれを組み合わせた完成品が配送されることからの問題点が残された。構成部品自体が商品であるので、発注の単位は個々の商品である構成部品となるが、顧客に届けられる物はそれらが組み上げられたオーダーメイドパソコンの完成品であるため、発注された部品がどのオーダーメイドパソコンのものであるかを確定しなければならない。しかし、既存のシステムは、バーコード等の入力手段によって入力された商品の購入情報が、製造元へと通知される機能は有していたが、通知は部品ごとに行われ、オーダーメイドパソコンをくみ上げるには情報が不足していた。そのため、新規の書類を作成する必要があったが書類の管理等が煩雑であった。
【０００５】
これに関して記述された先行文献を出願人は知らない。
【発明の開示】
【発明が解決しようとする課題】
【０００６】
本発明は、インターネットを利用し販売する形態における在庫費用と店舗への配送費用がかからない利点と、店舗にて実際の商品を見ながら購入できる店舗で販売する形態の利点の両方を兼ね揃え、店舗からの注文販売をする際に製造元が必要となるオーダーメイドパソコンの構成部品やその発送先について一覧できる書類であり、販売におけるカタログとしての役割を果たし、販売店に対する説明書きも備えていることにより、一枚のカタログ用紙に販売業務一連で必要となる情報欄を含有することを特徴とするオーダーメイドパソコンの注文用カタログを提供する。
【課題を解決するための手段】
【０００７】
そこで本発明として、注文シート、部品リスト及び説明書きを備え、当該注文シートに、レシートの貼り付け欄を設けたことを特徴とするオーダーメイドパソコン注文用カタログ用紙を考案しこれにより前述した目的を達成しようとするものである。
【発明の効果】
【０００８】
これによると、購入者が部品リストと実際の商品を見ながら部品を選択し、選択された部品によって構成されたオーダーメイドパソコンの注文をしても、レシートの貼り付けにより新たな書類を作る事なしに1枚のカタログ用紙によって、構成部品の組み合わせが一覧され、販売店に対する説明書きも備え、構成部品の組み合わせであるオーダーメイドパソコンの発注の管理をも容易にするものである。
【発明を実施するための最良の形態】
【０００９】
図１は、本発明にかかるオーダーメイド用カタログ用紙（以下これをカタログとする）の一実施形態を示している。当該カタログは、オーダーメイドパソコンの注文シート１と、当該オーダーメイドパソコンの構成上選択可能な部品を列挙した部品リスト２と、店舗がこのカタログを使用する際の説明書き（ただし、説明書きの図示は省略する）とを１枚紙に印刷することによって構成されている。
【００１０】
図２は、注文シート１をより詳細に図示したものである。当該カタログの注文シート１は、当該注文シート１の向かって右側の縦一列にレシート貼付面１０を備えている。また、注文シート１の向かって左側の最上部には、オーダーメイドパソコンの組み立てにあたってデフォルトの部品から変更になる部品の種類をチェックする商品チェック欄１１が設けられている。また、商品チェック欄１１の下には、本カタログを使用して注文されたオーダーメイドパソコンの受注店舗の情報等を記入する店舗様情報記入欄１２が設けられている。更に、店舗様情報記入欄１２の下には、本カタログを使用してオーダーメイドパソコンを購入する購入者の連絡先等を記入するお客様情報記入欄１３が設けられている。また、本カタログにより注文されたオーダーメイドパソコンを組み立てる製造元において情報を記入する製造元記入欄１４が設けられている。そして、製造元記入欄１４の下、即ち注文シートの最下部には、当該注文シートのFAX送信先となる製造元のFAX番号が記載されている。
【００１１】
これを更に詳述すると、本実施形態において、商品チェック欄１１は、部品分類毎に個別のチェック欄を備えており、各部品分類のチェック欄が横一行に配列されている。部品分類としては、CPU、メモリー、HDD、光学ドライブ、グラフィックボード、その他オプション、OS、アプリケーションソフトウェア、及びディスプレイの分類が設けられている。そして、デフォルトの構成からの仕様変更がある部品分類がチェックされることにより、製造元において仕様変更が必要な部品の種類を速やかに把握できるようになっている。
【００１２】
また、店舗様情報記入欄１２は、本カタログによる注文を受け付けた日付である受付日付記入欄と、当該注文を決済したときに発行されたレシートのレシートナンバーを記入するレシートナンバー記入欄と、当該注文を受けた店舗名を記入する受付店舗様名記入欄と、当該店舗において本件注文を扱った担当者の氏名を記入する販売担当者名記入欄とを備えている。これらの欄は、注文を受けた店舗において記入され、例えば、製造元が注文内容について、店舗に問い合わせを行う際に利用される。
【００１３】
また、お客様情報記入欄１３は、本件注文を行ったお客様の名前、郵便番号、住所、電話番号、FAX番号、電子メールアドレス及び備考の各記入欄を備えている。これらの欄は、オーダーメイドパソコンの購入者が本カタログを利用して注文を行う際に記入される。そして、記入された情報は、例えば、完成したオーダーメイドパソコンを購入者に直送する際に、製造元において参照される。
【００１４】
また、製造元記入欄１４は、購入者からの注文を一意に識別可能な番号を記入する受注番号記入欄と、組み立てたオーダーメイドパソコンの筐体を一意に識別可能な識別コードを記入するシリアル番号記入欄と、組み立てたオーダーメイドパソコンの出荷日を記入する出荷日記入欄と、当該出荷の際の発送伝票番号を記入する発送伝票番号記入欄とを備えている。
【００１５】
またレシート貼付面１０は、レシートの貼り付け用に貼り付けに適したサイズの空白が設けてある。レシートを貼り付けることにより店舗のPOSシステムにより作成後送付される発注書との確認ができ、またPOSシステムを利用した店舗ごとの発注システムを活かしながら複数の構成部品からなる一つのオーダーメイドパソコンを管理するために有用である。オーダーメイドパソコンにおいてはそれぞれの部品が一つのパソコンに組み込まれなければいけないため、パソコン一台分の部品の管理にレシートを使用し管理する仕組みになっている。つまり、レシートにおけるオーダーメイドパソコンの部品の情報が、当該カタログ用紙の当該注文シートに張り付けられることにより、注文されたオーダーメイドパソコンに組み込むべき部品を管理できるようになるのである。また、レシートという既存のシステムにより作成される書類を使用することにより、新規の投資を必要することなく管理の実現を果たしている。
【００１６】
次に、部品リスト２について説明する。部品リストには、商品名と簡単な説明、価格、バーコード、及び構成部品の図が記載されている。また、要素の中から購入者が選択した構成部品をチェックするためのチェック欄も設けられている。商品の選択時の一覧性を高めるために、好ましくは商品チェック欄１１にあるのと同様の構成部品となる要素ごとに分けて表示する。当該チェック欄を用いることにより、購入者が自ら記録しながら選択をすることが可能になる。
【００１７】
最後に、説明書きについて説明する。説明書きは販売店に向けた説明書きであり、記入の際および送付の際に気をつけるべき点が記されたものである。当該カタログ用紙への記入に際して、チェック欄の使用方法の説明や、必ず記入する必要のある欄、また、各欄の趣旨の説明、レシート貼付面への貼り付けの際の注意点等を記載の上、説明している。
【００１８】
ここから、実際の使用時の流れを説明する。まず、購入者は店頭にてオーダーメイドパソコンに組み込みたい部品を選択する。店頭であるので、実際の商品を見たり触ったりすることができる。また、販売員と相談しながら選択することも可能である。組み込む部品を決定した際に、購入者は部品リスト２の前記チェック欄にチェックをする。また、購入者は注文シート１のお客様情報記入欄１３の項目ごとに、名前、住所、届け先電話番号、FAX番号、昼間の連絡先電話番号、E-mailアドレスなどの情報を記入する。そして、販売員はカタログ内の部品リスト２に設けられたチェック欄をもとに、購入者に該購入者の先ほどの選択を確認しながらPOSシステム等で入力し、かつ変更があれば注文シート１の商品チェック欄１１にチェックをする。そして、販売員はカタログを参照の上、POSシステムにて、カタログの部品リスト付属のバーコードを入力し、関連付けられた選択部品や本体の金額から計算されたオーダーメイドパソコンの金額を元に会計を行う。この際に、POSシステムのレジスターは、オーダーメイドパソコンの購入部品を列記したレシートを印刷する。販売員はその後購入部品のリストが記載されたレシートを注文シート１のレシート貼付面に貼り付け、受付日付、レシートナンバー、受付店舗名、販売担当者名を注文シート１の店舗記入欄に記入した上で、当該オーダーメイドパソコン注文用カタログ用紙の当該注文シートを製造元にFAXにて送付する。
【００１９】
そして各店舗、又は複数店舗を統括する本部は、POSシステムで当該店舗若しくは統括する店舗ごとの当日の売上品目を集計し、発注書を作成する。該発注書には、店舗のコードとして店舗ごとに異なる店番と、オーダーメイドパソコンの構成部品について、一回の発注ずつの単位で一意に付された受注番号と、各部品に固有に付されたJANコードと、部品の型番と、それぞれの部品の発注数量とが記載される。製造元は、当該発注書に記載された発注と、FAXされてきた注文シート１とを比較し、両書類における注文部品やその注文部品の数量が同じであるかをチェックする。また、この発注書は店舗から製造元への注文の依頼をし、その契約内容を明確にするものである。同じであるべき両者に相違があってもレシートがあることにより、売上がたっていることがわかるため、確認が明確にでき二重にチェックをすることにより確実な把握ができる。この後製造元は、FAXされてきた受注シート１の製造元記入欄にオーダーメイドパソコンごとに一意の番号である受注番号を付した後、オーダーメイドパソコンを組み上げ、FAXされてきた注文シート１にあるお客様情報を使用し購入者にオーダーメイドパソコンを発送する。製造元は、FAXされてきた注文シート１の製造元記入欄１４にオーダーメイドパソコンのシリアル番号、出荷日、発送伝票番号等の情報を記入する。そして、製造元は、FAXされてきた注文シート１と納品書、送付状を販売店に送付する。これにより、店舗側での記録が残せ、顧客管理をする際に、出荷状況や当該オーダーメイドパソコンの識別が可能である。
【００２０】
これによって、購入者が部品リストと実際の商品を見ながら部品を選択し、選択された部品によって構成されたオーダーメイドパソコンの注文をしても、レシートの貼り付けにより新たな書類を作る事なしに1枚のカタログ用紙によって、構成部品の組み合わせが一覧され、販売店に対する説明書きも備え、構成部品の組み合わせであるオーダーメイドパソコンの発注の管理をも容易にする。また、レシートという普及した手段との組み合わせで使用するように作られているため、本発明実施にかけるコストが新しいシステムを構築することと比較してかからない。また、チェック欄をつけた部品リストであることにより、購入者の部品の選択を記録することが可能であり、それを新たに注文シートのチェック欄１１に販売員が抽象して整理することが出来、ミスが起こりにくいように配慮されている。また、説明書きがあることによって、販売員に日ごろ注意しながら作業してもらいたいことを明記しておき必要な情報が漏れなく記入されるようになっている。  ここで、本発明は上記実施の形態に限られない、例えば、オーダーメイドパソコン注文用カタログ用紙は、記載する情報の量やレイアウトに応じて大きさを変えたり、折らない構成にしたりすることが可能である。また、記入される情報を必要とする組織に送付しやすいように、グループ分けをした構成が好ましい。また、各欄における記入項目についても、時々の業務形態に合わせて必要な情報の項目を加減することが可能である。また、部品リストは、商品を提示することが目的であり、商品名のように商品を特定しうる名称や、商品を特定しうるなんらかのコード番号（小型の集積回路等で電子化されたものも考えられる）のみであったとしても機能する。
【図面の簡単な説明】
【００２１】
【図１】カタログ用紙の全体構成図である。
【図２】カタログ用紙注文シート部の構成図である。
【図３】カタログ用紙部品リスト部の構成図である。
【符号の説明】
【００２２】
１  注文シート
２  部品リスト
１０  レシート貼付面
１１  商品チェック欄
１２  店舗様情報記入欄
１３  お客様情報記入欄
【図１】
2005088361.tif 000003
【図２】
2005088361.tif 000004
【図３】
2005088361.tif 000005